(57)【要約】【課題】アコーススティックギター等の弦楽器において、弦長補正機能を有するブリッジと、固定ピンを不要とし弦の交換を迅速に行え、かつ表甲表面へ突出しない弦端保持機構を有する弦楽器のブリッジ機構を提供する。【解決手段】ブリッジ部と弦端保持機構部からなり、ボルトナット４０によりブリッジ７を表甲５表面へ締着する事により、取り付け位置の微調整を可能としたブリッジ部と、弦の操作方向を変化させる事により、弦端の保持とその解除を行う弦端保持機構１２，１３を、表甲裏面へ固着した弦端保持機構部からなるブリッジ機構を提供する。【選択図】  図４
2011043780.tif 000002
【特許請求の範囲】
【請求項１】
胴部の表甲下側に空洞な共鳴箱部を有する弦楽器において、張設される弦の振動を受容するサドルを有するブリッジを、締着位置を調整可能とする締着手段を用いて前記表甲表面へ締着したブリッジ部と、
前記弦を保持するための固定ピンを不要とし、前記表甲表面への突出部の無い弦端保持機構を前記表甲裏面へ固着した弦端保持機構部からなる、前記弦楽器のブリッジ機構。
【請求項２】
前記締着手段が、前記表甲の平面上へ長円形に開けられたねじ部材挿通孔へ挿通されたねじ部材を緊締または弛緩する事により、前記ブリッジの前記表甲表面への締着位置を調整可能とする締着構造からなる、請求項１に記載のブリッジ機構。
【請求項３】
前記締着手段が、前記ブリッジと前記表甲の両締着面の間へ、両平面に突起を有する肉薄の部材を配置し、締着圧力により前記部材を前記両締着面下間へ没し陥合させることを特徴とする締着構造からなる、請求項１又は請求項２に記載のブリッジ機構。
【請求項４】
前記弦端保持機構が、前記弦に対して横方向に長い板状物であって、各前記弦端に連結されたエンドボールを挿通させるための上面から下面まで貫通した第２挿通孔を前記弦の本数分有し、各前記第２挿通孔に連続して各前記弦端部を陥入する第１スリットを有するベースの上面へ、
前記弦に対して横方向に長い硬質材を用いた肉薄のプレート状物であって、各前記エンドボールを保持する前記弦の本数分のくぼみ部を有し、各前記くぼみ部に連続して各前記弦端部を陥入する第２スリット、及び前記第２スリットに連続して前記エンドボールを挿通する第３挿通孔を有する保持板を固着して構成される弦端保持機構からなる、請求項１に記載のブリッジ機構。
【請求項５】
胴部の表甲下側に空洞な共鳴箱部を有する弦楽器において、前記表甲裏面側へ固着される前記弦に対して横方向に長い硬質材を用いた肉薄のプレート状物であって、各前記エンドボールを保持する前記弦の本数分のくぼみ部を有し、各前記くぼみ部に連続して各前記弦端部を陥入する第２スリット、及び前記第２スリットに連続して前記エンドボールを挿通する第３挿通孔を有する弦端の保持板。
【発明の詳細な説明】
【技術分野】
【０００１】
本発明は、弦楽器のブリッジ機構、特にアコースティックギターのブリッジ機構に関する。
【背景技術】
【０００２】
図１２に代表的なアコースティックギター２６を示す。図の上端部をヘッド、及び下端部をテールと呼ぶ。従来のアコースティックギター等の弦楽器は胴部２５と棹部２４からなり、張設される金属製の弦６の一端はヘッド側においてはチューニングマシン２の主軸に巻着され、他端は胴部側にて保持される。弦の一端には金属性エンドボール１４を備え、これは胴部側にて保持される。胴部側においては弦端保持機構を表甲上のブリッジ２７部、または図１５に示すようにテール部のテールピース３２に備える。
【０００３】
ブリッジ部に弦端保持機構を備える物は、図１２から図１４に示す機構が主に用いられている。ブリッジ機構は一体型のサドル８、ブリッジ２７、ブリッジプレート２９、ブリッジピン２８にて構成され、各弦端はエンドボール部をブリッジ２７、表甲５、ブリッジプレート２９へと貫通したブリッジピンホール３３へと挿通され、テーパーと弦６を陥入するブリッジピン溝を有するブリッジピン２８を嵌合した後、弦６が張設されエンドボール１４部がブリッジピン２８及びブリッジプレート２９へ当接する状態にて保持される。
【０００４】
前記ブリッジ２７機構の特徴は、張設された弦６はその張力によりブリッジ機構をヘッド方向へ牽引する事により表甲５へ緊張を与え、かつサドル８下部を中心とするブリッジ２７底面を表甲５へ密着させるという点、また弦端の保持点と弦振動を受容するサドル８が近接するという点にある。これらは弦振動の表甲５への優れた伝達性を実現し、一般に好まれる音響性能を得る大きな要因であり、従来の多くのアコースティックギターにおいて前記ブリッジ２７機構が用いられている。また表甲５上へ図１５に挙げるようなブリッジ機構以外の弦端保持機構３２は突出せず操作性に優れる。
【０００５】
しかしながら前記ブリッジ２７機構は、各弦６を交換する際には各ブリッジピン２８を専用器具を用いて外し、再び取り付ける事が必要となり弦の交換の容易さに欠ける。
【０００６】
またブリッジ２７及びブリッジプレート２９は木材、ブリッジピン２８はプラスティックまたは木材が用いられるため、それらよりも硬質な材を用いた弦端及びエンドボール１４との接触部は、弦張力による圧力により変形を生じ磨耗する。これは張設された弦端の位置がずれる事であり、調律と弦振動が安定しない要因となる。
【０００７】
前記ブリッジ２７機構における弦端の保持点は、表甲５裏面のブリッジプレート２９上にありブリッジプレート２９は表甲５から離脱し難いが、表甲５及びブリッジプレート２９は薄い板状木材からなるため剛性が低く、弦６の張力に対して表甲５の形態を維持するための支持材としては不十分である。そのためブリッジ２７の主にブリッジピン２８周囲部分がその役割を担うのであるが、常に弦６の張力を受ける弦端の保持部周囲が長い時間の経過により次第に歪む事は避けられず、表甲５表面に接着されたブリッジ２７においては、表甲５とブリッジの歪み度合いの違い、および接着力の低下からブリッジピン２８周囲部分に表甲５からの離脱の問題が起きやすい。
【０００８】
また、フレットを持つ弦楽器を正確な調律に近づけるためには、多様な使用弦種とその張り具合に対応してサドルの位置を調整し弦長を補正する必要がある。一方ブリッジの表甲からの離脱を防ぐにはブリッジ底面の表甲への強力な接着が求められるため、表甲とブリッジはその接着面のみは無塗装状態で膠等の強力な接着剤を用いて固着される。よって一度取り付けられたブリッジ位置を変更するには、接着部の剥離と再接着及び塗装の補修を伴う工程が必要となり、多様な使用弦種とその張り具合に起因する弦長補正の要求に、前記ブリッジ２７機構は容易にブリッジ２７の取り付け位置の微調整により対応する事は困難である。
【０００９】
一般にアコースティックギターの製造工程においては、表甲の仕上がりに望まれる美観を得るために、ブリッジの表甲への取り付けは胴部の塗装工程が完了した後に行われる。このためにブリッジ取り付け後に、例えば表甲の損傷により表甲の塗装をやり直す等の事情でブリッジを取り外す必要が生じた場合においては、容易に着脱できない前記ブリッジ２７機構は、製造及び修理時に困難な工程の追加をもたらす。
【００１０】
テールピース部に弦端保持機構を備える物は、図１５から図１７に示す機構を主に用いる。各弦端はエンドボール１４の最小幅より狭くかつ弦を陥入可能な広さのスリットを備えた金属等の硬質材を用いたテールピース３２にて保持される。
【００１１】
前記テールピース３２機構の特徴は、他の器具を用いず各弦端の保持、及びその解除を可能とする弦端の保持機構であり、弦交換の容易さを備えている点である。また弦張力はブリッジｂ３１を弦の張られた方向へ牽引する力としては働かず、ブリッジｂ３１を表甲ｂ３０へ押し付ける力となるため、ブリッジｂ３１を表甲ｂ３０へ他の手段により固着する必要はなく、ブリッジｂ３１の取り付け位置の調整により弦長補正を行う事は容易である。
【００１２】
しかしながら前記テールピース３２機構においては、弦張力の表甲への作用が図１２の機構と異なるため、図１２の機構と同様の一般に好まれる音響性能を得難くなる。また表甲ｂ３０上のブリッジｂからテール部へかけて長く弦端とその保持機構が存在するために、弦振動の干渉による雑音発生が起きやすく、調整と取り扱いに注意を要する。
【先行技術文献】
【特許文献】
【００１３】
【特許文献１】特許第３４４７９６７号
【特許文献２】特開２００１−１４２４５５
【特許文献３】特開２００４−４４６２４
【特許文献４】ＵＳ  Ｐａｔｅｎｔ  Ｄｏｃｕｍｅｎｔｓ  ９７６４２８
【特許文献５】ＵＳ  Ｐａｔｅｎｔ  Ｄｏｃｕｍｅｎｔｓ  ４８０７５０８
【特許文献６】ＵＳ  Ｐａｔｅｎｔ  Ｄｏｃｕｍｅｎｔｓ  ７３９４００５
【発明の概要】
【発明が解決しようとする課題】
【００１４】
以上述べた従来のアコースティックギターに主に用いられるブリッジとテールピース機構の利点を統合し、弦長補正機能を有するブリッジ部と、固定ピンを不要とし弦端を安定して保持する、表甲表面上へ突出しない弦端保持機構部からなるブリッジ機構を提供する。
【課題を解決するための手段】
【００１５】
請求項１の発明は、胴部の表甲下側に空洞な共鳴箱部を有する弦楽器において、張設される弦の振動を受容するサドルを有するブリッジを、締着位置を調整可能とする締着手段を用いて前記表甲表面へ締着したブリッジ部と、前記弦を保持するための固定ピンを不要とし、前記表甲表面への突出部の無い弦端保持機構を前記表甲裏面へ固着した弦端保持機構部とからなる、前記弦楽器のブリッジ機構に係わる。前記弦端保持機構は、前記表甲表面側より、前記表甲の有する貫通された弦の本数分の各第１挿通孔から表甲裏面側へと挿通された各弦の操作方向を変化する事により、各弦端の保持とその解除を可能とする。
【００１６】
請求項２の発明は、前記締着手段が、前記表甲の平面上へ長円形に開けられたねじ部材挿通孔へ挿通されたねじ部材を緊締または弛緩する事により、前記ブリッジの前記表甲表面への締着位置を調整可能とする締着構造からなる、請求項１に記載のブリッジ機構に係わる。これは、前記ねじ部材挿通孔の開口範囲に応じて、ブリッジ位置を移動可能とする締着構造である。
【００１７】
請求項３の発明は、前記締着手段が、前記ブリッジと前記表甲の両締着面の間へ、両平面に突起を有する肉薄の部材を配置し、締着圧力により前記部材を前記両締着面下間へ没し陥合させることを特徴とする締着構造からなる、請求項１又は請求項２に記載のブリッジ機構に係わる。これは、前記ブリッジは張設される弦の張力によりヘッド方向へ牽引される力を受けるが、この力に抗しブリッジを表甲へ確実に締着する締着構造である。前記両平面に突起を有する肉薄の部材は金属等の硬質材からなり、その厚みは締着圧力により前記両締着面下間へ前記部材全体が完全に陥没する厚みとする。
【００１８】
請求項４の発明は、前記弦端保持機構が、前記弦に対して横方向に長い板状物であって、各前記弦端に連結されたエンドボールを挿通させるための上面から下面まで貫通した第２挿通孔を前記弦の本数分有し、各前記第２挿通孔に連続して各前記弦端部を陥入する第１スリットを有するベースの上面へ、前記弦に対して横方向に長い硬質材を用いた肉薄のプレート状物であって、各前記エンドボールを保持する前記弦の本数分のくぼみ部を有し、各前記くぼみ部に連続して各前記弦端部を陥入する第２スリット、及び前記第２スリットに連続して前記エンドボールを挿通する第３挿通孔を有する保持板をねじ、接着材または両面接着テープ等を用いて固着して構成される弦端保持機構からなる、請求項１に記載のブリッジ機構に係わる。これは弦の操作方向を変化させる事により弦端の保持とその解除を行う構造である
【００１９】
請求項５の発明は、胴部の表甲下側に空洞な共鳴箱部を有する弦楽器において、前記表甲裏面側へねじ、接着材または両面接着テープ等を用いて固着される前記弦に対して横方向に長い硬質材を用いた肉薄のプレート状物であって、各前記エンドボールを保持する前記弦の本数分のくぼみ部を有し、各前記くぼみ部に連続して各前記弦端部を陥入する第２スリット、及び前記第２スリットに連続して前記エンドボールを挿通する第３挿通孔を有する弦端の保持板に係わる。これは弦の操作方向を変化させる事により弦端の保持とその解除を行う構造である。
【発明の効果】
【００２０】
この発明に係わるブリッジ機構によれば、従来のブリッジ２７機構における弦張力の作用による表甲からの離脱問題が生じる弦の保持機構部を、ブリッジから分離し表甲裏面に位置させる事により離脱の問題を解決し、さらに弦長補正の問題解決へつなげた。すなわちブリッジ７が受ける表甲から離脱しようとする力を大幅に減じた事により、ブリッジの表甲への固着手段として接着ではなく、位置調整を可能とする締着手段を用いることを可能とした。これにより獲得されたブリッジ７の位置調整と着脱が容易に可能であるという有能性は、楽器の製造、修理過程においての利点となると共に、多様な使用弦種と弦の張り具合に起因する弦長補正の要求に対応し、より正確に調律され得る楽器を演奏者へ提供可能とする。
【００２１】
弦を保持するブリッジピンが不要となるため、ブリッジピンを着脱する手間が省け弦の交換が迅速に行える。
【００２２】
硬質材からなる保持板で弦端を保持することにより、調律と弦振動の安定性が高まる。
【図面の簡単な説明】
【００２３】
【図１】この発明の実施例１に係わるブリッジ機構を備えたアコースティックギターの全体図である。
【図２】図１の部分拡大平面図である。
【図３】図２のＡ−Ａ断面図である。
【図４】図２のＢ−Ｂ断面拡大図である。
【図５】図２のＣ−Ｃ断面分解拡大図である。
【図６】歯付き座金の平面図と側面図である。
【図７】前記アコースティックギターの表甲裏面の部分平面図である。
【図８】前記ブリッジ機構における弦端保持機構の保持板の平面図である。
【図９】前記ブリッジ機構における弦端保持機構のベースの平面図である。
【図１０】図７の部分と弦端エンドボールの保持状態を示す部分拡大斜視図である。
【図１１】前記ブリッジ機構における弦端の保持とその解除の手順を、図４を引用して示した説明図である。
【図１２】従来におけるアコースティックギターの全体図である。
【図１３】図１２のブリッジ部分拡大平面図である。
【図１４】図１３のＤ−Ｄ断面拡大図である。
【図１５】従来におけるテールピースを有するアコースティックギターの全体図である。
【図１６】図１５のテールピース部分拡大平面図である。
【図１７】図１６のＥ−Ｅ断面拡大図である。
【図１８】この発明の実施例２に係わる弦端保持板を備えたブリッジ機構を示す図である。
【発明を実施するための形態】
【００２４】
以下、本発明の実施の形態として実施例１及び実施例２を図に基づいて説明する。
【実施例１】
【００２５】
以下この発明の詳細な説明を図面に従って行う。図１はこの発明の実施例１に係わるブリッジ機構を備えたアコースティックギターの全体図、図２は図１の部分拡大平面図、図３は図２のＡ―Ａ断面図、図４は図２のＢ―Ｂ断面拡大図、図５はＣ−Ｃ断面拡大分解図、図６は歯付き座金の平面図と側面図、図７は表甲裏面の部分平面図、図８は弦端保持機構の保持板平面図、図９は弦端保持機構のベース平面図、図１０は図７の部分と弦端部の保持状態を示す部分拡大斜視図、図１１は弦端の保持とその解除の手順を図４を引用して示した説明図、
【００２６】
図１は、この発明の一実施例に係わるブリッジ機構を備えたアコースティックギター１全体を示す。張設される弦６のエンドボール１４側の弦端は第１挿通孔１０を通り表甲５裏面に固着された弦端保持機構にて保持され、他端はヘッド先端側のチューニングマシン２の主軸に巻着される。張設される弦６はナット３とサドル８の上に置かれ、その間のナット３とサドル８に接していない弦６の長さが弦長となる。以下、この発明の実施例１について詳細に説明する。
【００２７】
ブリッジ部については図２から図６に示すように、硬質木材等からなる上面にサドル陥入孔と二つのボルト陥入孔を有する弦６に対して横方向に長い断面の蒲鉾形状物であるブリッジ７、骨材または合成樹脂等からなるサドル８、及び六角穴付ボルト４１，平座金４２，歯付き座金４３，歯付フランジ六角ナット４４からなる金属製ボルトナット４０二組、及び硬質木材等からなる補強板１９二枚により構成される。ブリッジ７は、表甲５と表甲裏面に固着された補強板１９へ貫通して開けられた、弦６方向に長い長円形ねじ部材挿通孔１１に挿通されたボルトナット４０にて、表甲表面へ締着される。長円形開口部内の任意の位置へボルトナット４０を移動可能なため、それに応じブリッジ７及びサドル８を移動する事により、弦長の調整が可能となる。またボルトナット４０による締着圧力により、表甲５とブリッジ７の間に挟まれた、外周先端側に両平面へ突起するようにプレス加工された歯状部を有する金属製歯付き座金４３は、金属より軟質な材からなる表甲５とブリッジ７の両締着面下間へ完全に没した状態で陥合し、ブリッジ７は表甲表面へ密着する。これによりブリッジ７は弦６の張設による力、及び他の外力を受けてもずれる事無く表甲表面へ確実に締着される。
【００２８】
弦端保持機構部については図２から図１０に示すように、ベース１２はスプルース等の軽量木材等からなる直方体物であり、その両端の形状を配置場所の状態に合わせ加工して使用する。この実施例では表甲裏面の２つのブレイス１８の間に設置するため、両端を斜めに切り取り使用する。ベース１２は張設された弦６の張力に対し、表甲５の変形を防ぐ支持材の働きをする。ベース１２には上面から下面まで貫通した円筒状の第２挿通孔１５を弦の本数分有し、その径は張設される各弦端のエンドボール１４が抵抗無く挿通されるのに十分な大きさであってかつ最小とする。各第２挿通孔１５の側面にはエンドボール１４に連結された各弦端部が抵抗無く陥入される大きさの第１スリット１６を有する。
【００２９】
ベース１２の上面に固着される保持板１３は、真鍮材等硬質材からなる弦６に対して横方向に長い肉薄のプレート状物であって、各エンドボール１４を保持する弦の本数分のくぼみ部２０を有し、各くぼみ部につながるエンドボール１４に連結された各弦端部を挿通する第２スリット２１とベースの第２挿通孔１５に合致した第３挿通孔２２を有する。第２スリット２１の幅はエンドボール１４に連結された各弦端部の最大直径よりも広くエンドボール１４の最小幅より狭いものとする。保持板は３本のねじ１７を第２ねじ部材挿通孔２３へ挿通してベース１２に螺着される。また第１挿通孔１０、第２挿通孔１５、第３挿通孔２２、第１スリット１６、第２スリット２１、及び保持板のくぼみ部２０の各中心間隔は同一とし、第１挿通孔１０と第２挿通孔１５の各径は同一とする。
【００３０】
上記弦端保持機構部は図３と図４に示すように、表甲５において位置調整のために見込まれるブリッジ７の可動範囲を空けたテール側へ、弦６に対し横方向である胴部幅の中心より胴部幅両方向へ均等に振り分けて開けられた、弦６の本数分の第１挿通孔１０とベースの第２挿通孔１５を、表甲表面から裏面へ各々貫通した孔になるよう合致させ、表甲５裏面へ接着により固着される。
【００３１】
弦６が保持される過程を図１０と図１１のイからニに示す。表甲５表面側へから挿通孔１０、１５，２２を通って挿通され弦端保持機構を通過し弦端部は、弦全体をヘッド側へ傾倒していく事によりベース１２と保持板１３のスリット、１６，２１へ陥入し保持板１３のくぼみ部へ達する。さらに弦６をヘッド方向へ引き戻し、保持板１３のくぼみ部２０へエンドボール１４が陥入する事により弦端は保持され、弦６の他端をヘッド側のチューニングマシンの主軸に巻着され弦の張設が完了する。次にその保持が解除される過程を図１０のホからチに示す。弦６はヘッド側の保持を解かれ、傾斜した状態で表甲５表側からエンドボール１４側弦端を胴部内方向へ押し込まれ、次に表甲５に対し垂直に起こされる事により弦端の保持は解除され表甲５表面側へ引き抜かれる。
【００３２】
上記の実施例により、ブリッジ７においてはブリッジピンが不要となるとともにブリッジピン周囲部分も不要となり、ブリッジデザインの自由度が高まり、さらにブリッジの軽量化を可能とする。
【００３３】
上記ブリッジの軽量化および弦端保持機構のベース１２に軽量材を用いる事により、実施例１のように保持板１３とボルトナット４０に金属材等を用いてもブリッジ機構全体では、図１２に示す従来のブリッジ機構と同程度の重量に抑えられ音響性能を損なわない。
【００３４】
この発明の実施例１に係わるブリッジ機構は、張設された弦６はその張力によりブリッジ機構をヘッド方向へ牽引し表甲５へ緊張を与え、かつサドル８下部を中心とするブリッジ７底面を表甲５へ密着させるという点、また弦端の保持点と弦振動を受容するサドル８が近接するという点で従来のブリッジ２７機構と同様であり、弦振動の表甲５への優れた伝達性を実現し、一般に好まれる音響性能を得られる。
【実施例２】
【００３５】
請求項５に係わる発明の実施例として、図１８に保持板１３を従来のブリッジ２７と組み合わせる実施例を示す。表甲５裏面に固着されたブリッジプレート２９に保持板１３を、ブリッジのブリッジピンホール３３と保持板の第３挿通孔２２が合致する位置にねじ、、接着材または両面接着テープ等を用いて固着し、ブリッジ２７、表甲５、ブリッジプレート２９に架けてエンドボール１４に連結された各弦端部が抵抗無く陥入される大きさの第３スリット３４を設ける事により、図１１に示す手順と同様の操作で弦端保持機構として機能する。
【００３６】
従来形のブリッジにおいても保持板１３を使用する事により、ブリッジピンを不要として弦端を保持することを可能とし、ブリッジピンの着脱の手間が省け弦の交換が迅速に行え、調律と弦振動の安定性が高まる。
【００３７】
アコースティックギターは、音量を電気的に増幅する目的でピックアップを装着して使用される場合も多い。近年において普及され高性能化し選択機種が豊富となっているアコースティックギター用ピックアップとして、従来のブリッジ２７のサドル陥入孔底面に設置される一体型サドル８用のピックアップ機構がある。上記両実施例では前記ピックアップ機構の装着が可能である。
【００３８】
また、本発明は以上の両実施例に限定されるものではなく、実施対象になる弦楽器、ブリッジ部や弦端保持機構部の形状、材質等は時宜設計変更できるものである。 
【符号の説明】
【００３９】
１    アコースティックギター
２    チューニングマシン
３    ナット
４    ネック
５    表甲
６    弦
７    ブリッジ
８    サドル
９    弦ガイド溝
１０  第１挿通孔
１１  第1ねじ部材挿通孔
１２  ベース部
１３  保持板
１４  エンドボール
１５  第２挿通孔
１６  第１スリット
１７  ねじ
１８  ブレイス
１９  補強板
２０  くぼみ部
２１  第２スリット
２２  第３挿通孔
２３  第２ねじ部材挿通孔
２４  棹部
２５  胴部
２６  従来のアコースティックギター全体部
２７  従来のブリッジ
２８  ブリッジピン
２９  ブリッジプレート
３０  表甲ｂ
３１  従来のブリッジｂ
３２  テールピース
３３  ブリッジピンホール
３４  第３スリット
４０  ボルトナット
４１  六角穴付ボルト
４２  平座金
４３  歯付き座金正面
４３ｂ  歯付き座金側面
４４  歯付フランジ六角ナット
【図１】
2011043780.tif 000003
【図２】
2011043780.tif 000004
【図３】
2011043780.tif 000005
【図４】
2011043780.tif 000006
【図５】
2011043780.tif 000007
【図６】
2011043780.tif 000008
【図７】
2011043780.tif 000009
【図８】
2011043780.tif 000010
【図９】
2011043780.tif 000011
【図１０】
2011043780.tif 000012
【図１１】
2011043780.tif 000013
【図１２】
2011043780.tif 000014
【図１３】
2011043780.tif 000015
【図１４】
2011043780.tif 000016
【図１５】
2011043780.tif 000017
【図１６】
2011043780.tif 000018
【図１７】
2011043780.tif 000019
【図１８】
2011043780.tif 000020